(57)【要約】【課題】  他の使用目的をもつものを支持体とすることで、複数種の情報を簡単にかつ低い費用で表示することができ、不使用時にコンパクトになり、保管を簡単に行えるようにして管理コストも低減することができるくび掛け形表示装置を提供すること。【解決手段】  合成樹脂のシート又は薄いボードからなる情報担持板１０，１１と、他の使用目的をもつ支持体２０とを有し、情報担持板１０，１１が、前記支持体２０に嵌る開口１４を形成した取付け部１１と、取付け部の両側に折れ目線１３を境界線として接続され、報知すべき情報１５を表示した２面の標示部１２とを備えていること。【選択図】  図１
0003145143.tif 000002
【実用新案登録請求の範囲】
【請求項１】
合成樹脂のシート又は薄いボードからなる情報担持板と、他の使用目的をもつ支持体とを有し、情報担持板が、前記支持体に嵌る開口を形成した取付け部と、取付け部の両側に折れ目線を境界線として接続され、報知すべき情報を表示した２面の標示部とを備えていることを特徴とするくび掛け形表示装置。
【請求項２】
前記支持体が、道路標識としてのカラーコーンからなり、前記情報担持板が、その開口を前記コーンの円錐筒部に嵌合されている請求項１に記載のくび掛け形表示装置。
【請求項３】
前記標示部の各々が、前記切れ目線と反対側の側縁に固定孔を備え、該固定孔に紐体を通して支持体に連結するようにした請求項１又は請求項２に記載のくび掛け形表示装置。
【請求項４】
前記情報担持板が、ポリプロピレン樹脂の薄いボードからなると共に、前記折れ目線が、断面略半円状に当該ボードの表裏に形成されている請求項１〜３のいずれかの請求項２に記載のくび掛け形表示装置。
【請求項５】
前記標示部が各表面に同じ情報を表示されている請求項１〜４のいずれかの請求項に記載のくび掛け形表示装置。
【請求項６】
前記標示部が表面と異なる内容の情報を裏面にも表示されている請求項１〜５のいずれかの請求項に記載のくび掛け形表示装置。
【考案の詳細な説明】
【技術分野】
【０００１】
本考案は、くび掛け形表示装置に係わり、さらに詳しくは、駐車禁止や営業中などの情報を表示する装置に関している。
【背景技術】
【０００２】
駐車禁止、仮設駐車場、営業中、準備中、仮設店頭場所などの案内情報は、紙や合成樹脂シートなどの媒体に書き又は印刷し、壁や架台に貼り付けて、客を案内している。しかし、使用がすむと、再利用できるものであっても、管理が面倒などの理由で廃棄しているのが現状である。
【０００３】
これを改善するために、複数種の情報をロールに印刷し、膜体を巻き取ることで、必要とする情報を表示することができ、再使用に耐えられる表示装置が提供されている（例えば特許文献１を参照）。
【０００４】
この表示装置は、少なくとも一対の平行桟を有する枠体と、該一対の平行桟に着脱自在に取設される一対の膜体ホルダーと、両膜体ホルダー内にその両端がそれぞれ巻き取り格納される平行な膜体とにより構成され、また該一対の平行桟の間に展開された該膜体の両側には、該膜体両側部の挟持とその解除ができるクリップ体が設けられており、且つ該膜体には、互いに独立した複数の情報が記載されている。
【０００５】
しかしながら、このようなものでは、膜体ホルダーと枠体とは一つのセットとして、使用者は購入しなければならない。さらに、枠体は、この用途のみに限定され、高価なものとなることを避けられず、しかも、提供者は、表示用途ごとに複数の膜体ホルダーを用意しておかなければならず、使用者は、購入時に不要な情報が入っていても、その膜体ホルダーを選択しなければならない。そして、枠体は、用途が限定されているため、不使用時の保管もかなり面倒である。
【特許文献１】特許公開第２００４−１０９７１５号公報
【考案の開示】
【考案が解決しようとする課題】
【０００６】
そこで、本考案は、他の使用目的をもつものを支持体とすることで、複数種の情報を簡単にかつ低い費用で表示することができ、不使用時にコンパクトになり、保管を簡単に行えるようにして管理コストも低減することができるくび掛け形表示装置を提供することを、その課題としている。
【課題を解決するための手段】
【０００７】
上記の課題を解決することを目的としてなされた本考案くび掛け形表示装置は、合成樹脂のシート又は薄いボードからなる情報担持板と、他の使用目的をもつ支持体とを有し、情報担持板が、前記支持体に嵌る開口を形成した取付け部と、取付け部の両側に折れ目線を境界線として接続され、報知すべき情報を表示した２面の標示部とを備えていることを特徴としている。
【０００８】
本考案は、上記構成において、支持体が、道路標識としてのカラーコーンからなり、前記情報担持板が、その開口を前記コーンの円錐筒部に嵌合することで、支持体に取り付けても良い。
【０００９】
本考案は、上記構成において、標示部の各々が、前記切れ目線と反対側の側縁に固定孔を備え、該固定孔に紐体を通して支持体に連結することで、よりしっかりと情報担持板が支持体に結合されるようにしても良い。
【００１０】
本考案は、上記構成において、情報担持板が、ポリプロピレン樹脂の薄いボードからなると共に、前記折れ目線が、断面略半円状に当該ボードの表裏に形成されていることが好ましい。
【００１１】
本考案は、上記構成において、標示部は、各表面に同じ情報を表示しても、表面と裏面とで異なる内容の情報を表示しても良い。  
【考案の効果】
【００１２】
本考案くび掛け形表示装置は、合成樹脂のシート又は薄いボードからなる情報担持板と、他の使用目的をもつ支持体とを有し、情報担持板が、前記支持体に嵌る開口を形成した取付け部と、取付け部の両側に折れ目線を境界線として接続され、報知すべき情報を表示した２面の標示部とを備えているので、つまり、他の使用目的をもつものを支持体とし、これに複数の情報を簡単に表示することができるので、低い費用で表示を行なうことができ、不使用時に、コンパクトになり、保管を簡単に行えるので、管理コストも低減することができる。
【考案を実施するための最良の形態】
【００１３】
以下、添付図を参照して、本考案くび掛け形表示装置の実施形態を説明する。添付図において、図１は本考案くび掛け形表示装置の実施形態の一例を示す斜視図、図２は図１の
本考案くび掛け形表示装置に使用している情報担持板の実施形態を示す正面図、図３は図２の３−３線に沿う断面図、図４は図２、図３に示す情報担持板の展開図、図５は図４の５−５線に沿う拡大断面図、図６は本考案くび掛け形表示装置に使用する情報担持板の他の実施形態を示す斜視図、図７は情報担持体と円錐筒体の結合態様の別例を示す要部の斜視図である。
【００１４】
本考案くび掛け形表示装置は、図1〜４に示すように、情報担持板１０と支持体２０とを有している。
【００１５】
情報担持板１０は、横幅が２５ｃｍ位の細長い形状をもつ合成樹脂のシート又は薄いボードからなっており、一つの矩形状の取付け部１１と、この取付け部１１の対向側縁に一体に形成された二つの標示部１２とを備えている。情報担持板１０の表裏面には、取付け部１１と標示部１２との間に位置して、境界線として折れ目線１３（図３、図５参照）が形成されている。
【００１６】
取付け部１１の中央には、支持体２０に嵌合するための開口１４が開けられている。
【００１７】
各標示部１２はその表面に報知乃至告知すべき情報１５（以下、単に情報という）が表示されている。各情報１５は、図３に示すように、同じ内容からなっており、「手前」という文字を中に容れた矢印および矢印を囲う矩形の図形を上部に、「販売会開催中」および「お気軽にお越しください」の文字を下部にして、取付け部１１を中心に対称配置され、かつ各標示部１２に印刷されている。２つ又は２面の標示部１２は、取付け部１１を水平にして、折れ目線１３から角度９０°下方に折り曲げられ、情報担持板１０は全体として図２に示すようにチャネル状に形成されている。
【００１８】
各標示部１２の下縁、つまり、取付け部１１に接続する縁と対面する縁には、後述する紐体３０を通すための一対の固定孔１６が設けられている。これらの固定孔１６は、標示部１２の中央線近傍に対称的に配置されていると共に、鳩目によって補強されている。
【００１９】
支持体２０は、通常道路標識として用いられるカラーコーンからなっている。コーン自体は、矩形表面をもつ浅い箱形状の基板２１に、中空の円錐筒部２２を一体成形した合成樹脂成型品である。このコーンは、軽量でも安定して立ち、価格が低廉で色彩もいろいろあるので、支持体２０として最適である。
【００２０】
情報担持板１０は、その開口１４において前記支持体２０の円錐筒部２２に上方から嵌合される。すなわち、情報担持板１０は、図５に示すように、各標示部１２を前後にして取付け部１１にある開口１４を支持体２０の円錐筒部２２の頂部から嵌め、かつ落とし込むことによって支持体２０に装着されている。情報担持板１０は、その開口１４と円錐筒部２２の直径がほぼ等しいところで止まり、同時に標示部１２の下縁が円錐筒部２２の斜面に接触して、標示部１２がほぼ垂直に配置される。
【００２１】
必要に応じて、固定孔１６を利用して支持体２０に情報担持板１０の下方を固定し、情報担持板１０が風などにあおられないようにする。例えば、紐体３０を片方の標示部１２の固定孔１６に通し、コーン２０の円錐筒部２２に回したあと、もう他方の標示部１２の固定孔１６に通し、紐体両端を結束する。紐体３０は、合成樹脂によって構成して、耐候性をもたせることが好ましい。
【００２２】
情報担持板１０と円錐筒体２２との結合態様としては、紐体３０を用いないで図７に例示した結合形態もある。すなわち標示部１２の下端辺の略中央部に下向きの差込み舌片２６を垂設する一方、該舌片２６に対応する円錐筒部２２に、差込みスリット２７を設け、円錐筒部２２に装着した情報担持板１０の標示部１２に設けた差込み舌片２６を当該筒部２２のスリット２７に差込んで結合するようにするのである。
ここで、前記舌片２６にはスリット幅より少し突出する掛かり部２６ａを形成し、その材質の柔軟性によってスリット２７に差込むと、スリット２７から抜けにくくなるので好ましい。
【００２３】
このようにして情報担持板１０をセットした支持体２０は、例えば販売会などが開催されている場所近くの路傍などに置かれる。通行人は、本考案くび掛け形表示装置の標示部１２に表示された情報１５を視認し、販売会などの開催場所を確認することができる。使用後は、セットのまま又は情報担持板１０を支持体２０から外して保管される。
【００２４】
このときに、一つの支持体２０に複数枚の情報担持板１０を重ねておき、標示目的の情報担持板１０を一番上に配置することで、この情報担持板１０と一緒にして、使わない情報担持板をしまっておくこともできる。
【００２５】
本考案者が試行錯誤した結果、情報担持板１０は、ポリプロピレン樹脂の薄いボードから構成し、折れ目線１３を、図５に示すように、断面略半円状の溝に形成することで、断面チャネル状の折り曲げ（図３参照）と、その形状保持とができる一方、繰り返して折り曲げても、取付け部１１と標示部１２とが切り離れないようにすることができる。
【００２６】
本考案くび掛け形表示装置は、道路標識としてのコーン２０に情報担持板１０を嵌めるだけで、看板などとして使用することができ、コーン２０の色彩と情報担持板１０の色彩を工夫することによって、通行人などの目を引く魅力ある意匠のものとすることができる。そして、必要応じて、固定孔１６を利用し、紐体３０によって。情報担持板１０を支持体２０に結合することができる。
【００２７】
さらに、利用者は、目的とする情報１５を印刷した情報担持板１０を購入するだけで良く、情報担持板１０を折れ目線１３に沿って折り曲げておくことによってコンパクトな形態で収納、保管しておくことができる。もちろん情報担持板１０は拡げたままで置くこともできる。また、情報担持板１０は、それが複数枚あり、サイズが互いに異なっていても、これらを重ね合わ又は積み重ねて、コンパクトな形態とすることができるため、収納も省スペース的に行なうことができる。
【００２８】
情報担持板１０は、ポリプロピレン樹脂のような合成樹脂から構成され、雨水に耐え、耐候性を有し、水雑巾などで拭くことによって常時綺麗な状態を維持することができる。また、利用者は必要な情報１５が表示された情報担持板１０のみを入手できること、および収納が簡単なことも相俟って、この種表示装置の管理コストを著しく低減することができる。
【００２９】
図６は本考案くび掛け形表示装置に使用する情報担持板の他の実施形態を示している。
図６において、情報担持板１１０は、等幅の位の細長い形状をもつポリプロピレン樹脂製の薄いボードからなっている。取付け部１１１には支持体１２０としてのコーンに嵌合される開口１１４を有している。標示部１１２の表面には、「駐車禁止」の文字と駐車禁止のマークからなる情報１１５が印刷されている。そして、標示部１１２の裏面には、関係する情報として、下部に「お客様駐車場」の文字を、「Ｐ」の文字を書き込んだ矩形の図形からなる情報１１５ａが上部に印刷されている。各標示部１１２の下縁には、鳩目によって補強された、一対の固定孔１１６が設けられている。
【００３０】
図６の情報担持板１１０は、先に述べた実施形態と同様に、開口１１４を利用して道路標識としてのコーンの円錐筒部に嵌めることで、情報１１５を表示する表示装置として使用することができる。又、情報担持板１１０をコーンから外し、情報担持板１１０を反対側に折れ目線１１３を利用して折り、「お客様駐車場」の文字をと「Ｐ」の文字を中にいれた矩形の図形からなる情報１１５ａを表側にして、再びコーンの円錐筒部に嵌めることによって、直ちに他の場所で使用することができる。これらに際して、固定孔１１６を利用して支持体に情報担持板１１０の下方を固定し、情報担持板１１０が風などによってあおられないようにしてもよい。
【００３１】
なお、本考案くび掛け形表示装置において、情報担持板１０，１１０は、使用目的にしたがって、横幅を広くしたり、形状を変えたり、色彩を変更することができる。支持体２０としてのコーンの色彩も、情報担持板１０，１１０および情報１５，１１５の色彩に対して調和する色彩のものとすることができる。
【００３２】
情報１５，１１５，１１５ａの内容も、文字や図形を縦に配置する以外に、これらを横に配置しても良い。さらに、図形や文字も、情報担持板１０，１１０の標示部１２，１１２の表面に、「只今」の文字を上方に、「空あり」の文字を下方に配置した情報を印刷すると共に、情報担持板の標示部の裏面に、「只今」の文字を上方に、「満車」の文字を下方に配置した情報を印刷したり、情報担持板の標示部の表面に、「只今」の文字を上方に、「営業中」の文字を下方に配置した情報を印刷すると共に、標示部１２，１１２の裏面に、「只今」の文字を上方に、「準備中」の文字を下方に配置した情報を印刷したりするなど、表示する情報の内容は全く任意である。
【００３３】
又、設置する場所の高さに応じて、取付け部１１，１１１の幅および開口１４，１１４の直径を変えて、標示部１２，１１２の下縁が道路標識としてのコーンの周面に接触したときに、斜め下方又は斜め上方に配置されるようにして、視認性を改善するなどしても良い。
【図面の簡単な説明】
【００３４】
【図１】本考案くび掛け形表示装置の実施形態の一例を示す斜視図。
【図２】図１の本考案くび掛け形表示装置に使用している情報担持板の実施形態を示す正面図。
【図３】図２の３−３線に沿う断面図。
【図４】図２、図３に示す情報担持板の展開図。
【図５】図４の５−５線に沿う拡大断面図。
【図６】本考案くび掛け形表示装置に使用する情報担持板の他の実施形態を示す斜視図。
【図７】情報担持体と円錐筒体の合成態様の別例を示す要部の斜視図。
【符号の説明】
【００３５】
１０            情報担持板
１１            取付け部
１２            標示部
１３            折れ目線
１４            開口
１５            情報
１６            固定孔
２０            支持体（コーン）
２１            基板
２２            円錐筒部
１１０            情報担持板
１１１            取付け部
１１２            標示部
１１３，１１３ａ  折れ目線
１１４            開口
１１５，１１５ａ  情報
１１６            固定孔
【図１】
0003145143.tif 000003
【図２】
0003145143.tif 000004
【図３】
0003145143.tif 000005
【図４】
0003145143.tif 000006
【図５】
0003145143.tif 000007
【図６】
0003145143.tif 000008
【図７】
0003145143.tif 000009
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
合成樹脂のシート又は薄いボードからなる情報担持板と、他の使用目的をもつ支持体とを有し、情報担持板が、前記支持体に嵌る開口を形成した取付け部と、取付け部の両側に折れ目線を境界線として接続され、報知すべき情報を表示した２面の標示部とを備えていることを特徴とするくび掛け形表示装置。
【請求項２】
前記支持体が、道路標識としてのカラーコーン（登録商標）からなり、前記情報担持板が、その開口を前記コーンの円錐筒部に嵌合されている請求項１に記載のくび掛け形表示装置。
【請求項３】
前記標示部の各々が、前記切れ目線と反対側の側縁に固定孔を備え、該固定孔に紐体を通して支持体に連結するようにした請求項１又は請求項２に記載のくび掛け形表示装置。
【請求項４】
前記情報担持板が、ポリプロピレン樹脂の薄いボードからなると共に、前記折れ目線が、断面略半円状に当該ボードの表裏に形成されている請求項１〜３のいずれかの請求項に記載のくび掛け形表示装置。
【請求項５】
前記標示部が各表面に同じ情報を表示されている請求項１〜４のいずれかの請求項に記載のくび掛け形表示装置。
【請求項６】
前記標示部が表面と異なる内容の情報を裏面にも表示されている請求項１〜５のいずれかの請求項に記載のくび掛け形表示装置。
【手続補正２】
【補正対象書類名】明細書
【補正対象項目名】０００８
【補正方法】変更
【補正の内容】
【０００８】
本考案は、上記構成において、支持体が、道路標識としてのカラーコーン（登録商標）からなり、前記情報担持板が、その開口を前記コーンの円錐筒部に嵌合することで、支持体に取り付けても良い。
【手続補正３】
【補正対象書類名】明細書
【補正対象項目名】００１９
【補正方法】変更
【補正の内容】
【００１９】
支持体２０は、通常道路標識として用いられるカラーコーン（登録商標）からなっている。コーン自体は、矩形表面をもつ浅い箱形状の基板２１に、中空の円錐筒部２２を一体成形した合成樹脂成型品である。このコーンは、軽量でも安定して立ち、価格が低廉で色彩もいろいろあるので、支持体２０として最適である。